(57)【要約】【課題】ドライバー等の工具による製品の損傷を抑制すると共に、軒に対する軒天井取り付けを容易に行えるようにした軒天井ドレーン継手を提供する。【解決手段】  上部に上流側の竪樋１６ａが接続される竪樋接続部１８ｂを有すると共に該竪樋接続部１８ｂの下部外周にネジ部２２を有し、且つ、該ネジ部２２が軒天井板１４を貫通して配置される筒状のネジ付きソケット１８と、該ネジ付きソケット１８に着脱自在であって下流側の樋１６ｂを前記ネジ付きソケット１８に連結する軒天井ドレーン１９とを有する軒天井ドレーン継手１７であって、前記軒天井ドレーン１９は、前記ネジ付きソケット１８のネジ部２２に上部が着脱自在に螺合する筒状のドレーン本体２０と、このドレーン本体２０の筒部１８ａの外側に、ドレーン本体２０に対して回転可能に取り付けられ且つ下流側の樋１６ｂを接続するための筒状の連結部材２１と、を備えている。【選択図】                  図４
2006194016.tif 000002
【特許請求の範囲】
【請求項１】
上部に上流側の竪樋が接続される竪樋接続部を有すると共に該竪樋接続部の下部外周にネジ部を有し、且つ、該ネジ部が軒天井板を貫通して配置される筒状のネジ付きソケットと、該ネジ付きソケットに着脱自在であって下流側の樋を前記ネジ付きソケットに連結する軒天井ドレーンとを有する軒天井ドレーン継手であって、
前記軒天井ドレーンは、前記ネジ付きソケットのネジ部に上部が着脱自在に螺合する筒状のドレーン本体と、このドレーン本体の筒部の外側に、前記ドレーン本体に対して回転可能に取り付けられ且つ下流側の樋を接続するための筒状の連結部材と、を備えていることを特徴とする軒天井ドレーン継手。
【請求項２】
前記連結部材には、下流側の竪樋の上部が接続されるソケット又はエルボ等の中間継手が接続されることを特徴とする請求項１に記載の軒天井ドレーン継手。
【請求項３】
前記ドレーン本体の外周面の上部には回転用掴み部が形成されていることを特徴とする請求項１又は２に記載の軒天井ドレーン継手。
【発明の詳細な説明】
【技術分野】
【０００１】
本発明は、建物の軒を貫通している竪樋の途中に配設される軒天井ドレーン継手に関するものである。
【背景技術】
【０００２】
従来、建物の竪樋は、建物軒を貫通して配設されるものがあり、この竪樋は軒天井付近で上流側の竪樋と下流側の竪樋とを軒天井ドレーン継手により連結している。この軒天井ドレーン継手は、軒天井の下方近傍に配設されている。
【０００３】
この種の軒天井ドレーン継手は、上流側の竪樋の下部に取り付け可能であって、軒天井板から下方に貫通して突出しているネジ付きソケットと、このネジ付きソケットに螺合する筒状の回転リングと、この回転リング内に設けられていてソケット又はエルボ等の中間継手が取り付け可能なドレーン本体とを有している。
【０００４】
そして、上流側の竪樋と下流側の竪樋とを連結する場合には、上流側の竪樋の下部にネジ付きソケットを結合すると共に、下流側の竪樋の上部に固定された中間継手を回転リング及びドレーン本体間に差し込むことで連結が行われていた。
【０００５】
また、建物を建築するときに、竪樋施工後に軒天井板の取付工事を行う場合には、一旦、下流側の竪樋を軒天井ドレーン継手から取り外して軒天井に軒天井板の取り付けを行い、その後、軒天井ドレーン継手に下流側の竪樋を接続させて軒天井板の取り付けが行われていた（例えば、特許文献１参照）。
【特許文献１】特開２００１−１６４７１７号公報
【発明の開示】
【発明が解決しようとする課題】
【０００６】
しかしながら、従来の軒天井ドレーン継手を用いた竪樋において、軒天井板の取付工事をするための下流側の竪樋の取り外しは、軒天井ドレーン継手から中間継手をドライバー等を用いて外すことにより行われていたので、軒天井ドレーン継手及び中間継手等の製品の形状によっては、ソケットまたはエルボ等の中間継手の取り外しが固くて取り外しが困難であると共に、製品に傷を付けてしまう虞があった。
【０００７】
本発明は、上流側の竪樋から下流側の竪樋の取り外しを容易に行うことができる軒天井ドレーン継手を提供することを目的とするものである。
【課題を解決するための手段】
【０００８】
本発明は、上述事情に鑑みなされたものであって、請求項１に記載の発明は、上部に上流側の竪樋が接続される竪樋接続部を有すると共に該竪樋接続部の下部外周にネジ部を有し、且つ、該ネジ部が軒天井板を貫通して配置される筒状のネジ付きソケットと、該ネジ付きソケットに着脱自在であって下流側の樋を前記ネジ付きソケットに連結する軒天井ドレーンとを有する軒天井ドレーン継手であって、前記軒天井ドレーンは、前記ネジ付きソケットのネジ部に上部が着脱自在に螺合する筒状のドレーン本体と、このドレーン本体の筒部の外側に、前記ドレーン本体に対して回転可能に取り付けられ且つ下流側の樋を接続するための筒状の連結部材と、を備えていることを特徴としている。
【０００９】
また、請求項２に記載の発明は、前記連結部材には、下流側の竪樋の上部が接続されるソケット又はエルボ等の中間継手が接続されることを特徴としている。
【００１０】
また、請求項３に記載の発明は、前記ドレーン本体の外周面の上部には回転用掴み部が形成されていることを特徴としている。
【発明の効果】
【００１１】
請求項１に記載の発明によれば、ネジ付きソケットに螺合している軒天井ドレーンのドレーン本体は、下流側の樋と一体の中間継手が接続されている連結部材に対して回転自在であるので、ドレーン本体を回転させるだけで、下流側の樋を上流側の竪樋から容易に取り外すことができると共に、竪樋取り外し時における軒天井ドレーン継手及び中間継手等の製品の損傷を抑制することができる。
【００１２】
また、請求項２に記載の発明によれば、軒天井ドレーンの連結部材に接続されている中間継手としてソケットを使用した場合には、竪樋を直線状に配置することができ、中間継手としてエルボを使用した場合には、エルボに呼び樋を接続させることで、上方のネジ付きソケット及び軒天井ドレーンと下流側の樋との位置を偏位して配置することができる。
【００１３】
また、請求項３に記載の発明によれば、ドレーン本体の外周面の上部に回転用掴み部を設けたので、ネジ付きソケットに対するドレーン本体の取り付け及び取り外しを容易に行うことができる。
【発明を実施するための最良の形態】
【００１４】
以下、本発明の実施例１を図面に基づいて説明する。
【実施例】
【００１５】
図１は、本発明の軒天井ドレーン継手が適用されている建物１０及びこの建物１０の外側に突設されている軒天井１１の縦断側面図を示している。軒天井１１は外壁１２を有すると共に軒天井１１の下部１３には軒天井板１４が取り付けられている。
【００１６】
建物１０の外壁１５に沿って軒天井１１を貫通する竪樋１６が設けられており、この竪樋１６は、上流側の竪樋１６ａと、下流側の竪樋１６ｂとを有している。また、竪樋１６ａ及び竪樋１６ｂは、後述するように軒天井ドレーン継手１７により連結されている。
【００１７】
上記軒天井ドレーン継手１７の詳細を図２に基づいて説明する。図２において、軒天井ドレーン継手１７は、ネジ付きソケット１８と、このネジ付きソケット１８に着脱自在に取付られている軒天井ドレーン１９とを有している。
【００１８】
また、軒天井ドレーン１９は、ドレーン本体２０とこのドレーン本体２０に対して後述するように互いに回転自在の連結部材２１とを有している。
【００１９】
ネジ付きソケット１８は、外周にネジ部としての雄ネジ２２を有する筒部１８ａを有すると共に、筒部１８ａの上部にはこの筒部１８ａに連続して大径で筒状の竪樋接続部１８ｂが形成されている。
【００２０】
軒天井ドレーン１９の一部を構成するドレーン本体２０は、筒体２３とこの筒体２３の上部に連続して形成された回転用掴み部２４とを有しており、筒体２３の内面の上部側にはネジ付きソケット１８の雄ネジ２２に螺合する雌ネジ２５が形成されている。
【００２１】
なお、回転用掴み部２４の外周には、ドレーン本体２０を作業者の手元操作により回転させるときの滑り止めとしての凸部（または凹部）２６が一定間隔で形成されている。また、上記筒体２３の外周には溝２７を有する凸部２８が連続して形成されている。
【００２２】
軒天井ドレーン１９の他の部分を構成する筒状の連結部材２１は、筒体２９の内周の４カ所に突起３０を一体的に有しており、この突起３０はドレーン本体２０の溝２７に嵌合している。これにより、ドレーン本体２０と連結部材２１とは互いに回動自在になっている。
【００２３】
また、連結部材２１の筒体２９は、周面の対象位置において切り欠き面３１がそれぞれ形成されている。これにより、連結部材２１の平面視形状は、図３（ａ）の底面図に示すように三昧胴型（または、トラック型）をなしている。
【００２４】
連結部材２１内の下部には、筒体２９よりも小径の内筒３３が底部３２を介して一体的に形成されている。この内筒３３には、筒体２９の切り欠き面３１に対向する位置で切り欠き面３４がそれぞれ形成されている。そして、各切り欠き面３４には切り欠き３５がそれぞれ形成されている。
【００２５】
これにより、連結部材２１の下部には筒体２９の下部と内筒３３とによって一定幅の環状溝３６が形成されている。この環状溝３６は、後述するソケット４１（図４参照）またはエルボ４３（図７参照）等の中間継手が挿入して結合されるものである。
【００２６】
内筒３３の円弧部には上部の対称位置において、一対の凸部３８が形成されている。筒体２９の下部には、上記凸部３８が対向している位置において穴部３９がそれぞれ形成されている。この穴部３９及び凸部３８等は、ドライバー等の工具を穴部３９内に挿入して筒体２９に装着されているソケット４１またはエルボ４３等の中間継手を取り外すときに使用される。
【００２７】
図４は、上記のように構成された軒天井ドレーン継手１７の使用状態を示している。図４に示すように、竪樋１６ａの下部はネジ付きソケット１８の竪樋接続部１８ｂ内に嵌合されて接着剤により固定されている。軒天井板１４の穴４０内にはネジ付きソケット１８の筒部１８ａが挿通されていると共に、筒部１８ａの下端部は軒天井板１４から下方に突出している。
【００２８】
ネジ付きソケット１８の雄ネジ２２には、軒天井ドレーン１９の一部を構成しているドレーン本体２０の雌ネジ２５が螺合している。軒天井板１４は、ネジ付きソケット１８の竪樋接続部１８ｂと軒天井ドレーン１９のドレーン本体２０とにより挟持されている。
【００２９】
下流側の竪樋１６ｂの上部にはソケット４１が固定されている。このソケット４１の上部を連結部材２１の内筒３３に圧入することにより、竪樋１６ｂは軒天井ドレーン１９を介して上流側の竪樋１６ａに接続されている。
【００３０】
次に、竪樋１６に対する軒天井ドレーン継手１７の接続作用を図５〜図７により説明
する。図１に示す軒天井１１内の竪樋１６ａの下端は、図５に示すように竪樋１６ａの下端と軒天井板１４の下面１４ａとの寸法Ｌが５〜５０ｍｍになるように設定される。
【００３１】
次に、図６（ａ）に示すように、竪樋１６ａの下端部の周面とネジ付きソケット１８の竪樋接続部１８ｂの内周面に接着剤Ｓが塗布されたのち互いに接続される。ネジ付きソケット１８の雄ネジ２２部が軒天井板１４の穴４０内に上方から挿入されて図６（ｂ）に示す状態になる。
【００３２】
この状態で、図２に示すネジ付きソケット１８の筒部１８ａの雄ネジ２２に対して軒天井ドレーン１９のドレーン本体２０の雌ネジ２５を螺合し、軒天井ドレーン１９が図７（
ａ）に示すように矢印４２で示すように回動される。
【００３３】
これにより、図４に示すように軒天井板１４の下面１４ａと上面１４ｂとはドレーン本体２０の上端と竪樋接続部１８ｂの下面１８ｃとににより挟持される状態になる。その後、図７（ｂ）に示すように中間継手としてのエルボ４３が連結部材２１の内筒３３に挿入される。このエルボ４３には、図示しない呼び樋を介して竪樋１６ｂ（図１参照）が接続される。
【００３４】
ここで、図１に示す建物１０の軒天井１１が完成する前（軒天井板１４が取り付けられる前）に竪樋１６を取り付けておくことにより建物１０周りに雨水が垂れるのを防止して作業性の向上を図ることがある。
【００３５】
この場合、完成した軒天井１１に軒天井板１４を取り付けるには、上流側の竪樋１６ａから軒天井ドレーン継手１７を外して下流側の竪樋１６ｂを外して竪樋１６を軒天井板１４に貫通させる必要がある。この軒天井ドレーン継手１７の取り外しは、図２に示す軒天井ドレーン１９のドレーン本体２０の回転用掴み部２４を回動させることにより行われる。  ドレーン本体２０は、連結部材２１に対して回動可能であるので、回転用掴み部２４を緩める方向（図７（ａ）における矢印４２とは反対方向）に回動させることにより、軒天井ドレーン１９はネジ付きソケット１８から外される。
【００３６】
このとき、連結部材２１に接続されているソケット４１（図４参照）またはエルボ４３（図７参照）等の中間継手及びこの中間継手に接続されている下流側の竪樋１６ｂは回動されることなくドレーン本体２０のみを回動させて軒天井ドレーン１９を下流側の竪樋１６ｂから取り外せるので、下流側の竪樋１６ｂの取り外し作業が容易になると共に竪樋１６の損傷をも防止することができる。
【００３７】
また、下流側の竪樋１６ｂの取り外しは、ソケット４１またはエルボ４３等の中間継手を連結部材２１の内筒３３（図４参照）から取り外すことなく行うことができるので、軒天井ドレーン１９及びソケット４１またはエルボ４３を損傷させることなく下流側の竪樋１６ｂを上流側の竪樋１６ａから取り外すことができて、軒天井１１に対する軒天井板１４の取り付けを容易に行うことができる。
【００３８】
上述の軒天井ドレーン継手１７は、軒天井１１の竪樋１６を接続するのに好適に使用する他に、例えば、図８に示すように複数階の建物の床部を貫通する排水管に適用することも可能である。
【００３９】
図８において、上階の床板４６には排水溝４７が形成され、この排水溝４７には排水口４８が設けられている。この排水口４８には排水管５０が下方に向けて設けられている。排水管５０の下端部にネジ付きソケット１８の竪樋接続部１８ｂを図６で説明したように接着剤Ｓにより接続したのち、裏天井５１の穴５２内にネジ付きソケット１８の雄ネジ２２部を貫通させる。
【００４０】
このネジ付きソケット１８の雄ネジ２２に軒天井ドレーン１９を螺合したのち、連結部材２１の内筒３３（図２参照）内に中間継手としてのエルボ５４の上部５５を挿入接続したのち図示しない下流側の排水管がさらに接続される。
【００４１】
このように、軒天井ドレーン継手１７は、上流側の排水管５０を下流側の排水管（図示せず）に接続する構造の最のに広く利用することができる。
【００４２】
以上説明した発明の軒天井ドレーン継手（１７）は、上部に上流側の竪樋（１６ａ）が
接続される竪樋接続部（１８ｂ）を有すると共に該竪樋接続部（１８ｂ）の下部外周にネジ部（２２）を有し、且つ、該ネジ部（２２）が軒天井板（１４）を貫通して配置される筒状のネジ付きソケット（１８）と、該ネジ付きソケット（１８）に着脱自在であって下流側の樋（１６ｂ）を前記ネジ付きソケット（１８）に連結する 軒天井ドレーン（１９
）とを有している。この軒天井ドレーン（１９）は、前記ネジ付きソケット（１８）のネジ部（２２）に上部が着脱自在に螺合する筒状のドレーン本体（２０）と、このドレーン本体（２０）の筒部（１８ａ）の外側に、前記ドレーン本体（２０）に対して回転可能に取り付けられ且つ下流側の竪樋（１６ｂ）を接続するための筒状の連結部材（２１）と、を備えている。
【００４３】
この構成によれば、ネジ付きソケット（１８）に螺合している軒天井ドレーン（１９）のドレーン本体（２０）は、下流側の樋（１６ｂ）と一体の中間継手（４１）が接続されている連結部材（２１）に対して回転自在であるので、ドレーン本体（２０）を回転させるだけで、下流側の樋（１６ｂ）を軒天井ドレーン（１７）から容易に取り外すことができると共に、竪樋（１６ｂ）取り外し時における軒天井ドレーン継手（１７）及び中間継手（４１）等の製品の損傷を抑制することができる。
【００４４】
また、この発明の軒天井ドレーン継手（１７）は、前記連結部材（２１）には、下流側の竪樋（１６ｂ）の上部が接続されるソケット（４１）又はエルボ（４３）等の中間継手が接続される。
【００４５】
この構成によれば、軒天井ドレーン（１９）の連結部材（２１）に接続されている中間継手としてソケット（４１）を使用した場合には、竪樋（１６）を直線状に配置することができ、中間継手としてエルボ（４３）を使用した場合には、エルボ（４３）に呼び樋を接続させることで、上方のネジ付きソケット（１８）及び軒天井ドレーン（１９）と下流側の樋（１６ｂ）との位置を偏位して配置することができる。
【００４６】
また、この発明の軒天井ドレーン継手（１７）は、前記ドレーン本体（２０）の外周面の上部には回転用掴み部（２４）が形成されている。
【００４７】
この構成によれば、ドレーン本体（２０）の外周面の上部に回転用掴み部（２４）を設けたので、ネジ付きソケット（１８）に対するドレーン本体（２０）の取り付け及び取り外しを容易に行うことができる。
【００４８】
以上、図面を参照して、本発明の実施の形態及び実施例を詳述してきたが、具体的な構成は、この実施の形態に限らず、本発明の要旨を逸脱しない程度の設計的変更は、本発明に含まれるものである。
【図面の簡単な説明】
【００４９】
【図１】本発明の軒天井ドレーン継手が適用されている竪樋が配設された建物の一部を示す縦断側面図である。
【図２】軒天井ドレーン継手の一部破断した正面図である。
【図３】（ａ）は軒天井ドレーン継手の底面図、（ｂ）は図２の一部の側面図である。
【図４】軒天井ドレーン継手の使用状態を示す縦断側面図である。
【図５】上流側の竪樋軒天井板の位置関係を示す縦断側面図である。
【図６】（ａ）は上流側の竪樋とネジ付きソケットとの接続前の一部破断した側面図、（ｂ）はネジ付きソケットに接続後のネジ付きソケット及び軒天井板の一部破断した側面図である。
【図７】（ａ）はネジ付きソケットに対する軒天井ドレーンの取り付け状態を示す側面図、（ｂ）は軒天井ドレーンとこれに接続されたエルボとの側面図である。
【図８】床板に取り付けられる軒天井ドレーン継手の分解斜視図である。
【符号の説明】
【００５０】
１４            軒天井板
１６            竪樋
１６ａ          上流側の竪樋
１６ｂ          下流側の竪樋
１７            軒天井ドレーン継手
１８            ネジ付きソケット
１８ｂ          竪樋接続部
１９            軒天井ドレーン
２０            ドレーン本体
２１            連結部材
２２            雄ネジ（ネジ部）
２４            回転用掴み部
４１            ソケット（中間継手）
４３            エルボ（中間継手）
【図１】
2006194016.tif 000003
【図２】
2006194016.tif 000004
【図３】
2006194016.tif 000005
【図４】
2006194016.tif 000006
【図５】
2006194016.tif 000007
【図６】
2006194016.tif 000008
【図７】
2006194016.tif 000009
【図８】
2006194016.tif 000010